(57)【特許請求の範囲】
【請求項１】
底面と平行である水平方向に対して６０±１０度の範囲内の角度を有する取付台を備え、該取付台にハードディスクが取り付けられた取付台固定部と、
着磁コイルによって覆われ、該着磁コイルの中空部に前記取付台固定部を収納し、該着磁コイルの中空部において前記着磁コイルによって励磁された磁界を前記水平方向に形成する着磁部と、
該着磁コイルに電流を流し、励磁される磁界によって前記ハードディスクに記録されたデータの消去を行なう制御部と、
前記着磁コイルの温度を検出する温度計を備え、該温度計が設定された温度を越えた場合、抵抗分が増加し、電流が流れ難くなり、前記着磁コイルによって励磁される磁界の磁束密度が低下することをユーザに警告する警告表示ランプと、
該警告表示ランプが点灯した際の前記警告内容を表示する液晶表示部と、
を有することを特徴とする磁気データ消去装置。
【請求項２】
前記取付台固定部には、磁界強度の低下と磁束角度の変化の影響を回避するため、前記取付台固定部の端部から一定長の前記取付台を設置しない領域が設けられていることを特徴とする請求項１に記載の磁気データ消去装置。
【請求項３】
前記取付台固定部には前記ハードディスクを取り付ける複数の取付台が設けられていることを特徴とする請求項１、又は２に記載の磁気データ消去装置。
【発明の詳細な説明】
【技術分野】
【０００１】
本発明は、ハードディスク（ＨＤＤ）等の磁気記録媒体に記録された磁気データを消去する磁気データ消去装置に関する。
【背景技術】
【０００２】
今日、企業や個人で使用した磁気ディスク装置（以下、ハードディスクで示す）を廃棄する場合、ハードディスクに記録された情報を第三者に知られないため、例えばコンピュータに接続した状態で、しばしばオペレーティングシステムからフォーマット処理を行い、磁気情報を消去している。
【０００３】
しかし、上記消去方法では、ハードディスク内の磁気情報の配置等を管理する管理領域のみを消去し、実際の磁気情報はディスク上に残る。そこで、例えば磁気記録媒体に電磁石により生成された磁力を与え、磁気記録媒体に記録されている情報を消去する方法が行われている。
【０００４】
特許文献１は、廃棄する磁気ディスク装置に記録されたデータの漏洩防止のため、データ消去を簡単な操作で行うデータ消去装置の発明であり、磁気ディスク装置に対して磁石による水平方向の磁界を付与し、データ消去を行うデータ消去装置の発明である。
【先行技術文献】
【特許文献】
【０００５】
【特許文献１】特開２００７−６６４３９号公報
【発明の概要】
【発明が解決しようとする課題】
【０００６】
しかしなから、最近磁気ディスク装置に対して垂直方向の磁界をかけ、データを記憶する垂直磁気記録方式が採用されている。この方式は、従来の記録方式（特許文献１の記録方式）である面内記録方式に比べてデータの記録密度を高めることができ、有効である。
このため、磁気ディスク装置に記録されたデータを消去する際、記録方式が判らない場合も多く、水平／垂直の２つの記録方式に対応する為、データ消去装置を操作し、水平方向の磁界を磁気ディスク装置に付与し、その後更に垂直方向の磁界を磁気ディスク装置に付与する操作を行う必要があった。また、低効率の磁束方向により、不充分な消去を避けるため、２〜３倍の磁界を掛けている。
【０００７】
したがって、従来のデータ消去装置では、磁気記録媒体のデータ消去に時間を要し、煩雑な作業が必要であった。また、電磁石に供給する電力も大きな容量を必要とした。
一方、磁気ディスク装置をデータ消去装置内に傾けてセットし、磁界をかけて磁気ディスク装置に記録されたデータを消去する方法も提案されている。しかし、この方法では最適な角度は提案されていない。
【０００８】
そこで、本発明は上記課題に鑑み、ハードディスク（ＨＤＤ）等の磁気記録媒体のデータ消去を容易に行うことができ、更に最適な角度及び位置に磁気ディスク装置をセットし、効率よく又は確実に磁気ディスク装置のデータ消去を可能とする磁気データ消去装置を提供するものである。
【課題を解決するための手段】
【０００９】
上記課題は第１の発明によれば、底面と平行である水平方向に対して６０±１０度の範囲内の角度を有する取付台を備え、該取付台にハードディスクが取り付けられた取付台固定部と、着磁コイルによって覆われ、該着磁コイルの中空部に前記取付台固定部を収納し、該着磁コイルの中空部において前記着磁コイルによって励磁された磁界を前記水平方向に形成する着磁部と、該着磁コイルに電流を流し、励磁される磁界によって前記ハードディスクに記録されたデータの消去を行なう制御部と、前記着磁コイルの温度を検出する温度計を備え、該温度計が設定された温度を越えた場合、抵抗分が増加し、電流が流れ難くなり、前記着磁コイルによって励磁される磁界の磁束密度が低下することをユーザに警告するエラー表示ランプと、該警告表示ランプが点灯した際の前記警告内容を表示する液晶表示部と、を有することを特徴とする磁気データ消去装置。
【００１０】
また、上記課題は第２の発明によれば、前記取付台固定部には、磁界強度の低下と磁束角度の変化の影響を回避するため、前記取付台固定部の端部から一定長の前記取付台を設置しない領域が設けられている磁気データ消去装置を提供することによって達成できる。
【００１１】
また、上記課題は第３の発明によれば、前記取付台固定部には前記ハードディスクを取り付ける複数の取付台が設けられている磁気データ消去装置を提供することによって達成できる。
【００１５】
また、上記課題は本発明によれば、前記着磁コイルの温度を検出する温度計を備え、該温度計が設定された温度を超えた場合、警告を行なう磁気データ消去装置を提供することによって達成できる。すなわち、温度計の計測値が設定された温度を超えた場合、抵抗分が増加し、電流が流れ難くなり、磁束密度が低下するため、ユーザに警告するものである。
【発明の効果】
【００１６】
本発明によれば、ハードディスク（ＨＤＤ）等の磁気記録媒体を６０±１０度の範囲内の角度を有する取付台に取り付けて着磁装置に入れることによって、磁気記録媒体に記憶されたデータ着磁を容易に行うことができ、効率よく且つ確実に磁気記録媒体の磁気データの消去を行うことができる。
【図面の簡単な説明】
【００１７】
【図１】本実施形態の磁気記録媒体の着磁装置の構成を説明する図であり、着磁装置の正面図である。
【図２】蓋部が開放された状態を示す着磁装置の構成図である。
【図３】取付台固定部を正面上部から視た図である。
【図４】取付台固定部を側方から視た図である。
【図５】取付台固定部の取付台にデータ消去を行なう複数のハードディスクを取り付けた状態を示す図である。
【図６】着磁装置の内部構造を説明する図である。
【図７】（ａ）、（ｂ）は、ハードディスク（ＨＤＤ）を水平状態に設置した場合の測定結果を示す図である。
【図８】（ａ）、（ｂ）は、ハードディスク（ＨＤＤ）を４５°に設置した場合の測定結果を示す図である。
【図９】（ａ）、（ｂ）は、ハードディスク（ＨＤＤ）を６０°に設置した場合の測定結果を示す図である。
【図１０】（ａ）、（ｂ）は、ハードディスク（ＨＤＤ）を９０°に設置した場合の測定結果を示す図である。
【図１１】（ａ）、（ｂ）は、ハードディスク（ＨＤＤ）を５０°に設置した場合の測定結果を示す図である。
【図１２】（ａ）、（ｂ）は、ハードディスク（ＨＤＤ）を５５°に設置した場合の測定結果を示す図である。
【図１３】（ａ）、（ｂ）は、ハードディスク（ＨＤＤ）を６５°に設置した場合の測定結果を示す図である。
【図１４】（ａ）、（ｂ）は、ハードディスク（ＨＤＤ）を７０°に設置した場合の測定結果を示す図である。
【図１５】（ａ）、（ｂ）は、ハードディスク（ＨＤＤ）を７５°に設置した場合の測定結果を示す図である。
【図１６】ハードディスク（ＨＤＤ）に対する着磁処理後の信号強度を示す図である。
【図１７】一定長Lの領域を設定するための磁束密度の測定例を示す図であり、横軸は長さＬを示し、縦軸は磁束密度を示す。
【発明を実施するための形態】
【００１８】
以下、図面を参照しながら本発明の実施の形態について説明する。
図１は本実施形態の磁気記録媒体の着磁装置の構成を説明する図であり、着磁装置の正面斜視図である。
同図において、磁気データ消去装置である着磁装置１の正面には、操作表示部２、及び後述する引出収納部を収納する際開放する蓋部３が設けられている。操作表示部２には電源スイッチ４、電源ランプ５、警告表示ランプ６、液晶ディスプレイ７、操作開始ボタン８、及びチャージランプ９が配設されている。
【００１９】
電源スイッチ４は本例の着磁装置１の電源投入を行なうスイッチであり、電源スイッチ４をオンすることによって、電源ランプ５が点灯し、着磁装置１に電源供給が行われる。また、警告表示ランプ６は、後述する温度センサによって予め設定された温度以上の温度を検出した場合や、後述する計測用巻線２０に流れる電流が異常な場合、更に駆動回路の異常等、着磁装置１に問題が生じた際に点灯する。また、液晶ディスプレイ７には、上記警告表示ランプ６が点灯した際の警告情報等の表示が行なわれる。
【００２０】
操作開始ボタン８はハードディスク（ＨＤＤ）等の磁気記録媒体を着磁装置１内に収納した後、操作するボタンであり、このボタン操作によって磁気記録媒体に記憶されたデータは消去される。尚、チャージランプ９は操作ボタン８の操作後、例えば不図示のコンデンサに次の磁気記録媒体の着磁処理に必要な電力が充電される間点灯するランプである。
扉部３は着磁装置１に引出収納部を収納する際開放する扉であり、左右に取手１０が設けられている。例えば、ユーザがこの取手１０を握って手前に引くと、扉部３が前方に開く。図２は着磁装置１の扉部３が開いた状態を示す図である。尚、同図に示す状態は、着磁装置１の内部に引出収納部１２が収納されている状態を示す。
【００２１】
図３は着磁装置１に着脱自在に構成された引出収納部１２を正面上部から視た図であり、図４は引出収納部１２を側方から視た図であり、引出収納部１２の前面に取手１３が設けられている。ユーザはこの取手１３を持って、引出収納部１２を着磁装置１に装着する。引出収納部１２には両図に示すように、磁気記録媒体であるハードディスク（ＨＤＤ）の取付台１４ａ、１４ｂ、１４ｃが引出収納部１２の手前から順次配設されている。
取付台１４ａ、１４ｂ、１４ｃの角度は全て、例えば６０°に設定されている。但し、この取付台１４ａ、１４ｂ、１４ｃの設置角度は６０°に限定される訳ではなく、例えば６０°±１０°の角度まで設定可能である。
【００２２】
図５は引出収納部１２の取付台１４ａ、１４ｂ、１４ｃにデータ消去を行なうハードディスク（ＨＤＤ）を取り付けた状態を示す。尚、本例で使用するハードディスク（ＨＤ）は垂直磁気記録方式によってデータ記録が行われたハードディスク（ＨＤＤ）である。それぞれの取付台１４ａ、１４ｂ、１４ｃには、同図に示すように２台ずつハードディスク（ＨＤＤ）が取り付けられ、不図示の機構によってそれぞれの取付台１４ａ、１４ｂ、１４ｃに固定される。上記のようにそれぞれの取付台１４ａ、１４ｂ、１４ｃは水平面（引出収納部１２の底面）に対して６０°に設置されており、それぞれの取付台１４ａ、１４ｂ、１４ｃに取り付けられたハードディスク（ＨＤＤ）も水平面に対して６０°の角度にセットされる。
【００２３】
また、同図に示すLは後述する一定長を示し、詳しくは後述するが、引出収納部１２の両端からの長さ（所謂のりしろ）を示し、この一定長Lに含まれる領域にはハードディスク（ＨＤＤ）がセットされないよう、取付台１４ａ、１４ｂ、１４ｃの設計を行なう。
【００２４】
一方、図６は着磁装置１の内部構造を説明する図である。着磁装置１の内部は着磁コイル形成部１５、上記引出収納部１２が装着される中空部１６、及び放熱板１７で構成されている。着磁コイル形成部１５には巻線が施され、巻線の両端はリード線１８、１９を介して不図示の電力供給回路に接続されている。また、巻線としては、例えば平角線や角線を使用するが、通常の銅線を巻回した構成でもよい。
【００２５】
中空部１６は上記引出収納部１２が収納可能な大きさであり、この中空部１６には着磁コイルによって磁界が形成され、着磁装置１の正面から裏面に向かって、又は着磁装置１の裏面から正面に向かって、磁界が形成される。
【００２６】
上記着磁コイル形成部１５の上層には、例えば１〜２Ｔの計測用巻線２０が施されている。この計測用巻線２０は着磁コイル形成部１５によって形成される磁束密度を測定するコイルであり、測定データは不図示のリード線を介して制御部に供給される。尚、この計測用巻線２０に流れる電流は前述の着磁装置１の正面に設けられた不図示の表示ランプを点灯させ、着磁処理が行われていることをユーザに知らせる。
【００２７】
放熱板１７は上記着磁コイル形成部１５の上面及び下面に当接して配設され、固定手段２１によって着磁コイル形成部１５に固定されている。
【００２８】
以上のように構成された着磁装置１において、ハードディスク（ＨＤＤ）のデータを消去する際には、先ず引出収納部１２を着磁装置１から引き出し、図５に示すようにそれぞれの取付台１４ａ、１４ｂ、１４ｃにハードディスク（ＨＤＤ）を取り付ける。したがって、本例の着磁装置１では、６台のハードディスク（ＨＤＤ）が引出収納部１２にセットされる。
【００２９】
次に、引出収納部１２の取手１３を持って、ハードディスク（ＨＤＤ）が収納された引出収納部１２を着磁装置１の所定位置に装着し、扉部３を閉じる。
【００３０】
この状態で操作ボタン８を操作し、不図示の電流供給回路から着磁コイル１５に電流を流し、着磁コイル１５を励磁し、着磁装置１の中空部１６に磁界を形成する。この磁界は、例えば着磁装置１の裏面から正面に向けて形成され、中空部１６に収納された引出収納部１２内のハードディスク（ＨＤＤ）には水平方向に対して６０度の角度で磁束が通過する。
【００３１】
このため、ハードディスク（ＨＤＤ）は着磁され、ハードディスク（ＨＤＤ）に記録されたデータは消去される。このとき、水平方向に対して６０度の角度で磁束が通過するため、垂直磁気記録方式のハードディスク（ＨＤＤ）であっても、面内記録方式のハードディスク（ＨＤ）であっても効果的にデータを消去することができる。
【００３２】
図７乃至図１０は上記６０°近傍の角度が最も効率良くデータを消去することができることを証明する測定結果を示す図であり、図７はハードディスク（ＨＤＤ）を０°（水平状態）に設置した場合の測定結果を示し、図８は４５°に設置した場合の測定結果を示し、図９は６０°に設置した場合の測定結果を示し、図１０は９０°（垂直）に設置した場合の測定結果を示す。
【００３３】
尚、上記図７乃至図１０の左側に示す（ａ）は励磁前のハードディスク（ＨＤＤ）の測定結果を示し、（ｂ）は励磁後のハードディスク（ＨＤＤ）の測定結果を示す。また、横軸は書き込み読み取りの周波数を示し、縦軸は書き込み後（データ着磁後）の信号強度を“ｄＢｍ”で示す。ここで、“ｄＢｍ”は１ｍＷを基準とした電力比であり、０ｄＢｍ＝１ｍＷとした場合の電力比を示す。
【００３４】
先ず、ハードディスク（ＨＤＤ）を０°（水平状態）に設置した場合（図７に対応）、同図（ａ）に示す励磁前のピーク値は−３２，８７[dBm]であり、同図（ｂ）に示す励磁後のピーク値は−５０，８２[dBm]であった。したがって、この場合、ハードディスク（ＨＤＤ）の信号強度が１７，９５[dBm]低下した結果を得た。
【００３５】
次に、ハードディスク（ＨＤＤ）を４５°に設置した場合（図８に対応）、同図（ａ）に示す励磁前のピーク値は−３２，８９[dBm]であり、同図（ｂ）に示す励磁後のピーク値は−６５，３３[dBm]であった。したがって、この場合、ハードディスク（ＨＤＤ）の信号強度が３２，４４[dBm]低下した結果を得た。
【００３６】
次に、図９に示すハードディスク（ＨＤＤ）を６０°に設置した場合（図９に対応）、同図（ａ）に示す励磁前のピーク値は−３３，１４[dBm]であり、同図（ｂ）に示す励磁後のピーク値は−７６，８９[dBm]であった。したがって、この場合、ハードディスク（ＨＤＤ）の信号強度が４３，７５[dBm] 低下した結果を得た。
【００３７】
さらに、ハードディスク（ＨＤＤ）を９０°（垂直）に設置した場合（図１０に対応）、同図（ａ）に示す励磁前のピーク値は−３２，７９[dBm]であり、同図（ｂ）に示す励磁後のピーク値は−５５，０９[dBm]であった。したがって、この場合、ハードディスク（ＨＤＤ）の信号強度が２２，３０[dBm] 低下した結果を得た。
【００３８】
以上の測定結果から、本例ではハードディスク（ＨＤＤ）を６０°に傾けて設置した場合、効率良くハードディスク（ＨＤＤ）のデータ消去が可能であることが判る。
そこで、６０°付近に対して更に測定を行った。具体的には、ハードディスク（ＨＤＤ）を水平方向に対して５０°、５５°、６５°、７０°、７５°に設置し、更に測定を行った。
【００３９】
先ず、図１１はハードディスク（ＨＤＤ）を水平方向に対して５０°傾けて設置した場合であり、同図（ａ）に示す励磁前のピーク値は−３２，８５[dBm]であり、同図（ｂ）に示す励磁後のピーク値は−６４，５２[dBm]であった。したがって、この場合、ハードディスク（ＨＤＤ）の信号強度が３１，６７[dBm]低下した。
【００４０】
また、図１２はハードディスク（ＨＤＤ）を水平方向に対して５５°傾けて設置した場合であり、同図（ａ）に示す励磁前のピーク値は−３２，９７[dBm]であり、同図（ｂ）に示す励磁後のピーク値は−８０，０４[dBm]であった。したがって、この場合、ハードディスク（ＨＤＤ）の信号強度が４７，０７[dBm]低下した。
【００４１】
また、図１３はハードディスク（ＨＤＤ）を水平方向に対して６５°傾けて設置した場合であり、同図（ａ）に示す励磁前のピーク値は−３２，９２[dBm]であり、同図（ｂ）に示す励磁後のピーク値は−７５，３４[dBm]であった。したがって、この場合、ハードディスク（ＨＤＤ）の信号強度が４２，４２[dBm]低下した。
【００４２】
また、図１４はハードディスク（ＨＤＤ）を水平方向に対して７０°傾けて設置した場合であり、同図（ａ）に示す励磁前のピーク値は−３２，８３[dBm]であり、同図（ｂ）に示す励磁後のピーク値は−６７，０８[dBm]であった。したがって、この場合、ハードディスク（ＨＤＤ）の信号強度が３４，２５[dBm]低下した。
【００４３】
さらに、図１５はハードディスク（ＨＤＤ）を水平方向に対して７５°傾けて設置した場合であり、同図（ａ）に示す励磁前のピーク値は−３３，０６[dBm]であり、同図（ｂ）に示す励磁後のピーク値は−５５，５８[dBm]であった。したがって、この場合、ハードディスク（ＨＤＤ）の信号強度が２２，５２[dBm]低下した。
【００４４】
以上の測定結果から、ハードディスク（ＨＤＤ）の消去処理前後の信号強度の低下は、水平方向に対して０°の場合、１７，９５[dBm]であり、４５°の場合、３２，４４[dBm]であり、５０°の場合、３１，６７[dBm]であり、５５°の場合、４７，０７[dBm]であり、６０°の場合、４３，７５[dBm]であり、６５°の場合、４２，４２[dBm]であり、７０°の場合、３４，２５[dBm]であり、７５°の場合、２２，５２[dBm]であり、９０°の場合、２２，３０[dBm]であることが判った。
図１６は上記測定結果をグラフにした図であり、横軸は水平方向に対するハードディスク（ＨＤＤ）の設置角度を示し、縦軸は上記消去処理後の信号強度の低下を示す。同図に示すように、水平方向に対してハードディスク（ＨＤＤ）を５０°〜７０°傾けて設置した場合、信号強度の低下が大きく、ハードディスク（ＨＤＤ）のデータ消去を効果的に行うことができる。
【００４５】
したがって、ハードディスク（ＨＤＤ）を水平方向に対して６０±１０度の範囲で傾けて引出収納部１２に設置し、着磁処理を行うことによって、ハードディスク（ＨＤＤ）のデータ消去を効率よく行うことができ、使用する電力も削減することができる。すなわち、ハードディスク（ＨＤＤ）を水平方向に対して６０±１０度の範囲で傾けて設置した場合、最も効率良くハードディスク（ＨＤＤ）のデータ消去が可能であり、最大のデータ消去性能を発揮することができる。例えば、従来１００００ガウス必要であった磁束密度を７０００ガウスまで削減することも可能である。
【００４６】
一方、前述のように、図６に示す中空部１６には着磁コイルによって磁界が形成され、例えば前述のように着磁装置１の正面から裏面に向かって、又は着磁装置１の裏面から正面に向かって磁界が形成される。この場合、着磁コイル形成部１５の両端は開口されており、この開口から漏れ磁束が発生する。すなわち、着磁装置１の開口部付近では磁束パターンが変化する。このため、着磁コイル形成部１５の両側、即ち中空部１６の両側の磁束密度が低下し、この現象は着磁コイル形成部１５の両端に近づく程大きくなる。したがって、着磁コイル形成部１５の両端から一定の長さ（前述の一定長L）、ハードディスク（ＨＤＤ）のデータ消去に使用しない領域を作成する。
【００４７】
図１７は上記一定長Lの領域を設定するための測定例を示す。尚、着磁コイル両端面の磁束密度の低下は着磁コイル形成部１５の全体長等によって異なり、本例では３種類の着磁コイル形成部１５ａ〜１５ｃを使用して測定を行なった。尚、同図に示す横軸は着磁コイル形成部の一端からの距離を示し、縦軸は着磁コイル形成部１５の各位置における磁束密度を示す。また、それぞれの曲線は着磁コイルの各位置における磁束密度の比を示す。
【００４８】
先ず、同図に示すａは最も長さの短い着磁コイル形成部１５ａの測定結果であり、着磁コイル形成部１５ａの一端から６〜７ｃｍの位置で磁界強度がピークとなり、以後他端に向けて磁界強度が低下する。したがって、この場合、ハードディスク（ＨＤＤ）のデータ消去に使用できる磁界強度をピーク値の８０％以上に設定すると、着磁コイル形成部１５ａの両端からそれぞれ３ｃｍ以上の領域をデータ消去に使用する必要があり、一定長Lは３ｃｍに設定される。
【００４９】
また、同図に示すｂは中間の長さの着磁コイル形成部１５ｂの測定結果であり、着磁コイル形成部１５ｂの一端から８〜９ｃｍの位置で磁界強度がピークとなり、以後他端に向けて磁界強度が低下する。したがって、この場合も、ハードディスク（ＨＤＤ）のデータ消去に使用できる磁界強度を上記と同様ピーク値の８０％以上に設定すると、着磁コイル形成部１５ｂ両端からそれぞれ４ｃｍ以上の領域をデータ消去に使用する必要があり、一定長Lは４ｃｍに設定される。
【００５０】
さらに、同図に示すｃは最も長い着磁コイル形成部１５ｃの測定結果であり、着磁コイル形成部１５ｃの一端から８ｃｍ以上の位置で磁界強度がピークとなる。したがって、この場合も、ハードディスク（ＨＤＤ）のデータ消去に使用できる磁界強度を８０％以上に設定すると、着磁コイル形成部１５ｃ両端からそれぞれ５ｃｍ以上の領域をデータ消去に使用する必要があり、一定長Lは５ｃｍに設定される。
【００５１】
以上のように、本例では着磁コイル形成部１５の両側における磁束密度の低下を考慮し、着磁コイル形成部１５の両端から一定長Lをハードディスク（ＨＤＤ）のデータ消去に使用しない領域とする。このように構成することによって、より効率よくハードディスク（ＨＤＤ）のデータ消去を可能とすることができる。
尚、上記実施形態の説明では一定長Lの基準をピーク値の８０％以上に設定したが、他の設定値を選択できることは勿論である。
【００５２】
また、上記実施形態の説明では、図５に示すように取付台１４ａ、１４ｂ、１４ｃにそれぞれ２台ずつハードディスク（ＨＤＤ）を取り付け、合計６台のハードディスク（ＨＤＤ）を引出収納部１２にセットできるように構成したが、引出収納部１２の３箇所に取付台１４を設置する場合だけでなく、引出収納部１２の２箇所に取付台１４を設置してもよく、また４箇所以上取付台１４を設置してもよい。さらに、１つの取付台１４に１台のハードディスク（ＨＤＤ）を取り付ける構成としてもよく、また１つの取付台１４に２台以上のハードディスク（ＨＤＤ）を横に並べて取り付ける構成としてもよい。また、設計によって他のあらゆる数の取付台を設置することが可能である。このように構成することによって、１度の着磁操作によって多くのハードディスク（ＨＤＤ）のデータ消去を行うことができ、効率よくハードディスク（ＨＤＤ）のデータ消去を行うことができる。
【００５３】
また、上記実施形態の説明では、ハードディスク（ＨＤＤ）を取り付ける取付台１４ａ、１４ｂ、１４ｃを引出収納部１２に設ける構成としたが、取付台固定部としては引出収納部１２に限定される訳ではなく、前述の中空部１６に予め設置された取付台にハードディスク（ＨＤＤ）を直接取り付ける取付台固定部構成としてもよい。また、例えばベルトコンベア式の取付台固定部を設置し、取付台固定部の取付台に順次ハードディスク（ＨＤＤ）を取り付け、中空部１６の手前から奥側へ、又は奥側から手前に連続してハードディスク（ＨＤＤ）のデータ消去を自動的に行なうように構成してもよい。
さらに、上記実施形態の説明において、磁気記録媒体としてハードディスク（ＨＤＤ）の例で説明したが、ハードディスク（ＨＤＤ）に限るものではない。
【符号の説明】
【００５４】
１・・・着磁装置
２・・・操作表示部
３・・・蓋部
４・・・電源スイッチ
５・・・電源ランプ
６・・・警告表示ランプ
７・・・液晶ディスプレイ
８・・・操作開始ボタン
９・・・チャージランプ
１０・・取手
１２・・引出収納部
１３・・取手
１４、１４ａ、１４ｂ、１４ｃ・・取付台
１５、１５ａ、１５ｂ、１５ｃ・・着磁コイル形成部
１６・・中空部
１７・・放熱板
１８、１９・・リード線
２０・・計測用巻線
２１・・固定手段
L・・・一定長
【図１】
0005570035.tif 000002
【図２】
0005570035.tif 000003
【図３】
0005570035.tif 000004
【図４】
0005570035.tif 000005
【図５】
0005570035.tif 000006
【図６】
0005570035.tif 000007
【図７】
0005570035.tif 000008
【図８】
0005570035.tif 000009
【図９】
0005570035.tif 000010
【図１０】
0005570035.tif 000011
【図１１】
0005570035.tif 000012
【図１２】
0005570035.tif 000013
【図１３】
0005570035.tif 000014
【図１４】
0005570035.tif 000015
【図１５】
0005570035.tif 000016
【図１６】
0005570035.tif 000017
【図１７】
0005570035.tif 000018